(57)【要約】【課題】ネットワークトラフィックへの影響を最小限に抑えながら、複雑な制御を行うことなく且つネットワークに接続されるクライアント装置に何ら手を加えることなく、共有装置の待機消費電力の削減を図ることができる共有装置電源制御システム等を提供する。【解決手段】複数のクライアント装置とサーバ装置とネットワークを介して接続される共有装置とを含む共有装置電源制御システムにおいて、共有装置は、各クライアント装置と前記サーバ装置と通信を行い、サーバ装置から、ネットワーク上のすべてのクライアント装置の電源が切断されたか否かの情報を取得する。そして、各クライアント装置の電源切断が取得された場合に、前記共有装置の電力状態を制御する電源制御手段を備えることを特徴とする。【選択図】図１
2011198286.tif 000002
【特許請求の範囲】
【請求項１】
複数のクライアント装置とサーバ装置とネットワークを介して接続される共有装置とを含む共有装置電源制御システムにおいて、
前記共有装置は、
前記各クライアント装置と前記サーバ装置と通信を行うための通信手段と、
前記通信手段により前記サーバ装置から、ネットワーク上のすべてのクライアント装置の電源が切断されたか否かの情報を取得する取得手段と、
前記取得手段により前記各クライアント装置の電源切断が取得された場合に、前記共有装置の電力状態を制御する電源制御手段と、
を備えることを特徴とする共有装置電源制御システム。
【請求項２】
前記電源制御手段は、前記共有装置の構成に基づいて、当該共有装置の各構成要素への電源切断又は電源維持を決定することを特徴とする請求項１に記載の共有装置電源制御システム。
【請求項３】
前記サーバ装置は、
前記各クライアント装置の識別情報、ＩＰアドレス、ＩＰアドレスのリリース状況が記憶される記憶手段を有し、
前記記憶手段は、前記各クライアント装置のＩＰアドレスリリース情報が更に記憶され、
前記共有装置における取得手段からの要求に従い、前記記憶手段に記憶されたＩＰアドレスリリース情報を共有装置に提供することを特徴とする請求項１に記載の共有装置電源制御システム。
【請求項４】
複数のクライアント装置とサーバ装置とネットワークを介して接続される共有装置において、
前記各クライアント装置と前記サーバ装置と通信を行うための通信手段と、
前記通信手段により前記サーバ装置から、ネットワーク上のすべてのクライアント装置の電源が切断されたか否かの情報を取得する取得手段と、
前記取得手段により前記各クライアント装置の電源切断が取得された場合に、共有装置の電力状態を制御する電源制御手段と、
を備えることを特徴とする共有装置。
【請求項５】
複数のクライアント装置とサーバ装置とネットワークを介して接続される共有装置とを含む共有装置電源制御方法において、
前記共有装置は、
前記各クライアント装置と前記サーバ装置と通信を行うための通信工程と、
前記通信工程により前記サーバ装置から、ネットワーク上のすべてのクライアント装置の電源が切断されたか否かの情報を取得する取得工程と、
前記取得工程により前記各クライアント装置の電源切断が取得された場合に、前記共有装置を省電力状態に制御する電源制御工程と、
を備えることを特徴とする共有装置電源制御方法。
【発明の詳細な説明】
【技術分野】
【０００１】
本発明は、複数のクライアント装置とサーバ装置とネットワークを介して接続される共有装置とを含む共有装置電源制御システム等に関する。
【背景技術】
【０００２】
従来から、複数のクライアント装置と共有装置（例えば、共有プリンタ、共有ハードディスク装置、共有ＭＯ機器等）とをネットワーク（例えば、Ｅｔｈｅｒｎｅｔ（登録商標）で構成されるＬＡＮ）で接続して設置している事業所等においては、共有装置の設置台数を削減すると共に共有装置の効率的な利用を図るべく、複数のクライアント装置によりネットワークを介して共有装置を共有する形態を採用している場合が一般的となっている。
【０００３】
ここで、共有装置の電源について、どのように制御するかといった問題が生じてくる。このような共有装置の電源制御に関する従来例としては、例えば特許文献１に記載の技術が提案されている。特許文献１によれば、ＬＡＮを介して共有される共有装置を使用している総てのクライアント装置の電源が落とされたか否かをＰＩＮＧ応答の有無で定期的に確認を行い、総てのクライアント装置からＰＩＮＧ応答が無くなった時点で総てのクライアント装置の電源が落とされたことを検出し、自動的に共有装置の電源を切断することを特徴とする自動電源切断方式が開示されている。
【先行技術文献】
【特許文献】
【０００４】
【特許文献１】特開２０００−２９３２７２号公報
【発明の概要】
【発明が解決しようとする課題】
【０００５】
しかしながら、上述した従来例においてはネットワーク上の全てのクライアント装置に対して、共有装置から定期的にＰＩＮＧコマンド送信を行う必要があり、定常的にネットワークトラフィックを増加させているという問題があった。特にデイタイムであれば、総てのクライアント装置の電源が落とされていることはほとんどないにも関わらず、常時ＰＩＮＧコマンドの負荷がネットワークにかかっており、ネットワークリソースを定常的に消費していることはあまり得策とは言い難いものであった。
【０００６】
上述した課題に鑑み、本発明の目的は、ネットワークトラフィックへの影響を最小限に抑えながら、複雑な制御を行うことなく且つネットワークに接続されるクライアント装置に何ら手を加えることなく、共有装置の待機消費電力の削減を図ることができる共有装置電源制御システム等を提供するものである。
【課題を解決するための手段】
【０００７】
上述した課題に鑑み、本発明の共有装置電源制御システムは、
複数のクライアント装置とサーバ装置とネットワークを介して接続される共有装置とを含む共有装置電源制御システムにおいて、
前記共有装置は、
前記各クライアント装置と前記サーバ装置と通信を行うための通信手段と、
前記通信手段により前記サーバ装置から、ネットワーク上のすべてのクライアント装置の電源が切断されたか否かの情報を取得する取得手段と、
前記取得手段により前記各クライアント装置の電源切断が取得された場合に、前記共有装置の電力状態を制御する電源制御手段と、
を備えることを特徴とする。
【０００８】
また、本発明の共有装置電源制御システムにおいて、
前記電源制御手段は、前記共有装置の構成に基づいて、当該共有装置の各構成要素への電源切断又は電源維持を決定することを特徴とする。
【０００９】
また、本発明の共有装置電源制御システムにおいて、
前記サーバ装置は、
前記各クライアント装置の識別情報、ＩＰアドレス、ＩＰアドレスのリリース状況が記憶される記憶手段を有し、
前記記憶手段は、前記各クライアント装置のＩＰアドレスリリース情報が更に記憶され、
前記共有装置における取得手段からの要求に従い、前記記憶手段に記憶されたＩＰアドレスリリース情報を共有装置に提供することを特徴とする。
【００１０】
本発明の共有装置は、複数のクライアント装置とサーバ装置とネットワークを介して接続される共有装置において、
前記各クライアント装置と前記サーバ装置と通信を行うための通信手段と、
前記通信手段により前記サーバ装置から、ネットワーク上のすべてのクライアント装置の電源が切断されたか否かの情報を取得する取得手段と、
前記取得手段により前記各クライアント装置の電源切断が取得された場合に、共有装置の電力状態を制御する電源制御手段と、
を備えることを特徴とする。
【００１１】
本発明の共有装置電源制御方法は、複数のクライアント装置とサーバ装置とネットワークを介して接続される共有装置とを含む共有装置電源制御方法において、
前記共有装置は、
前記各クライアント装置と前記サーバ装置と通信を行うための通信工程と、
前記通信工程により前記サーバ装置から、ネットワーク上のすべてのクライアント装置の電源が切断されたか否かの情報を取得する取得工程と、
前記取得工程により前記各クライアント装置の電源切断が取得された場合に、前記共有装置を省電力状態に制御する電源制御工程と、
を備えることを特徴とする。
【発明の効果】
【００１２】
本発明の共有装置電源制御システムでは、ネットワークを介して共有される共有装置を使用している全てのクライアント装置の電源が落とされた時点で、自動的に共有装置の電源を切断するように制御している。共有装置は、ネットワーク上の全てのクライアント装置の電源が落とされたか否かという情報を、サーバ装置から定期的に取得する。サーバ装置はＤＨＣＰサーバ機能を有することで、サーバ装置が管理するＩＰアドレスのリリース情報を元にネットワーク上の全てのクライアント装置の電源が落とされたか否かという情報を知ることが可能となる。上記構成により、ネットワーク上の全てのクライアント装置の電源が落とされた時点で共有装置の電源を切断することが可能となり、待機消費電力の削減を図ることができる。このため、複雑な制御を行う必要がなく、且つネットワークに接続されるクライアント装置には何ら手を加える必要がなく、上記のような共有装置の待機消費電力の削減を安価に実現することができる。
【図面の簡単な説明】
【００１３】
【図１】本実施形態の共有電源システムの全体を説明するための図である。
【図２】本実施形態における共有装置の機能構成を説明するための図である。
【図３】本実施形態におけるサーバ装置の機能構成を説明するための図である。
【図４】本実施形態における管理リストのデータ構成の一例を示す図である。
【図５】本実施形態におけるクライアント装置の機能構成を説明するための図である。
【図６】本実施形態における共有装置の処理を説明するための図である。
【図７】本実施形態におけるクライアント装置の処理を説明するための図である。
【図８】本実施形態におけるサーバ装置の処理を説明するための図である。
【発明を実施するための形態】
【００１４】
以下、図面を参照して本発明を実施するための最良の形態について説明する。なお、本実施形態では、一例として、共有電源制御システムには、共有装置として画像形成機能を有するデジタル複合機が接続されている場合について説明する。次に、本発明の実施形態について図面を参照して詳細に説明する。
【００１５】
［１．システム構成］
まず、本発明を適用した共有装置電源制御システム１を、図１にて説明する。共有装置電源制御システム１は、ネットワークＮＷ（ＬＡＮ（Local Area Network））を介して、共有装置１０（１０ａ、１０ｂ）と、サーバ装置２０と、クライアント装置３０（３０ａ、３０ｂ及び３０ｃ）とが接続されて構成される。
【００１６】
ここで、ネットワークＮＷのネットワークＩＰアドレスは「１９２．１６８．Ｘ．０」であり、サーバ装置２０はＤＨＣＰサーバ機能を有している。すなわち、ネットワークＮＷに接続される複数のクライアント装置３０のＩＰアドレスを動的に管理する。
【００１７】
共有装置１０（１０ａ、１０ｂ）は、複数のクライアント装置１０から共有される装置であり、本実施形態においてはプリンタやＦＡＸ、コピーといった画像形成機能を有するデジタル複合機である。ここで、共有装置１０のＩＰアドレスは固定で運用されることが多い。一例として、本実施形態においても、共有装置１０ａには「１９２．１６８．Ｘ．１００」が、共有装置１０ｂには「１９２．１６８．Ｘ．１０１」が固定ＩＰアドレスとして割り当てられている。
【００１８】
また、クライアント装置３０（３０ａ、３０ｂ、３０ｃ）は、利用者が操作する端末であり、例えばパーソナルコンピュータ（ＰＣ）等により構成されている。クライアント装置３０は、ＩＰアドレスを動的に割り当てており、サーバ装置２０からＤＨＣＰにより割り当てられるものとする。図１では、クライアント装置３０ａには「１９２．１６８．Ｘ．１０」が、クライアント装置３０ｂには「１９２．１６８．Ｘ．１１」が、クライアント装置３０ｃには「１９２．１６８．Ｘ．１２」がそれぞれ割り当てられている。
【００１９】
なお、本実施形態においては有線ＬＡＮにて接続されているが、クライアント装置３０は例えばＩＥＥＥ８０２．１１ｂといった無線ＬＡＮで接続されても良いことは勿論である。
【００２０】
［２．装置構成］
続いて、共有装置電源制御システムに接続される各装置の構成について図を用いて説明する。
【００２１】
［２．１  共有装置］
まず、共有装置１０の機能構成について、図２を参照して説明する。図２は、共有装置１０の機能ブロック図である。共有装置１０は、制御部１００に、通信部１１０と、タイマカウント部１２０と、記憶部１３０と、画像形成部１４０と、ＦＡＸ機能部１４５と、管理リスト取得部１５０と、管理リスト検出部１６０と、電源制御部１７０とがバスを介して接続されている。
【００２２】
制御部１００は、共有装置１０を制御するための機能部であり、例えばＣＰＵ等により構成されている。また、制御部１００は、記憶部１３０に記憶されているプログラムを読み出して実行することにより、プログラムに基づいた処理を実現するための機能部である。
【００２３】
通信部１１０は、ネットワークＮＷを介して、他の装置と通信を行うための機能部である。例えば、Ｅｔｈｅｒｎｅｔ（登録商標）に準拠したＮＩＣ等により構成されている。具体的にはＴＣＰ／ＩＰ（Transmission Control Protocol/Internet Protocol）に準拠したパケットにより通信を行っており、本実施形態においてはＤＨＣＰ（Dynamic Host Configuration Protocol）によりＩＰアドレスを割り当てる場合のパケット等が送受信される。
【００２４】
タイマカウント部１２０は、時計の機能を有すると共に一定時間毎にパケットを送信するためのカウントを行う機能部である。
【００２５】
記憶部１３０は、共有装置１０を動作させる為に必要なプログラムや各種データ等を記憶している機能部である。記憶部１３０は、例えばＤＲＡＭやＥＥＰＲＯＭといった半導体メモリであったり、ハードディスクドライブといった磁気ディスク装置であったり、何れかの記憶装置により構成されている。
【００２６】
画像形成部１４０は、共有装置１０がデジタル複合機（画像形成装置）として動作するために必要な機能部である。画像形成部１４０は、例えば通信部１１０を介して各クライアント装置３０から受信された印刷データに基づいて記録紙に画像を形成したり、画像形成部１４０に含まれる画像読取装置により読み取られた画像データに基づいて記録紙に画像を形成したりする機能部である。
【００２７】
ＦＡＸ機能部１４５は、共有装置１０がＦＡＸ装置として動作する場合ために必要な機能部である。例えば、ＦＡＸ機能部１４５はＩＳＤＮ回線に接続されており、ＩＳＤＮ回線を介して受信された画像データを、画像形成部１４０に出力する。
【００２８】
管理リスト取得部１５０は、サーバ装置２０が保有するＩＰアドレスリリース情報を管理している管理リスト２２２（後述）の取得をサーバ装置２０に対して要求する機能部である。
【００２９】
管理リスト検出部１６０は、サーバ装置３０から取得された管理リスト２２２のＩＰアドレスリリース状況フィールドのＡＮＤをとり、総て「×」であるか否かを検出する機能である。そして、総てが「×」と検出されれば電源制御部１７０に対して電源切断要求を通知する。
【００３０】
電源制御部１７０は、管理リスト検出部１６０からの電源切断要求に対して、共有装置１０の電源を切断する処理を行うための機能部である。なお、共有装置１０には、常時電源ＯＮしておかないといけないオプション（本実施形態では、ＦＡＸ機能部１４５）が装着されている場合、前記電源制御部１７０は、管理リスト検出部１６０の検出結果により、電源切断要求通知がきたときには、常時電源ＯＮのオプションを除いて電源ＯＦＦとする。
【００３１】
［２．２  サーバ装置］
続いて、サーバ装置２０の機能構成について図３を参照して説明する。図３は、サーバ装置２０の機能ブロック図である。サーバ装置２０は、制御部２００に、通信部２１０と、記憶部２２０と、ＤＨＣＰ制御部２３０とがバスを介して接続されている。
【００３２】
制御部２００は、サーバ装置２０を制御するための機能部であり、例えばＣＰＵ等により構成されている。また、制御部２００は、記憶部２２０に記憶されているプログラムを読み出して実行することにより、プログラムに基づいた処理を実現するための機能部である。
【００３３】
通信部２１０は、ネットワークＮＷを介して、他の装置と通信を行うための機能部である。通信部２１０は、共有装置１０の通信部１１０と同等の機能であるため、その詳細な説明は省略する。
【００３４】
記憶部２２０は、サーバ装置２０を動作させる為に必要なプログラムや各種データ等を記憶している機能部である。記憶部２２０は、例えばＤＲＡＭやＥＥＰＲＯＭといった半導体メモリであったり、ハードディスクドライブといった磁気ディスク装置であったり、何れかの記憶装置により構成されている。
【００３５】
また、記憶部２２０には、クライアント装置３０を管理するための管理リスト２２２が記憶されている。ここで、管理リスト２２２のデータ構成の一例を図４を用いて説明する。
【００３６】
図４に示すように、管理リスト２２２は、クライアント装置３０の番号（例えば、「１」）と、ＤＨＣＰにより当該クライアント装置３０に割り当てられているＩＰアドレスが記憶されるＩＰアドレスフィールド（例えば、「１９２．１６８．Ｘ．１０」）と、当該クライアント装置３０のＭＡＣアドレスが記憶されるＭＡＣアドレスフィールド（例えば、「ＸＸ：ＹＹ：ＺＺ：００：００：０１」）と、ＩＰアドレスのリリース状況を判定するためのＩＰアドレスリリース状況フィールド（例えば、「○」）と、クライアント装置３０のアクセス日時を記憶するアクセス日時フィールド（例えば、「２００９／１２／１７  １９：００」）とを含んでいる。
【００３７】
ここで、クライアント装置３０が割り当てられているＩＰアドレスについては、ＩＰアドレスリリース状況が「○」となり、割り当てられていない場合は「×」が記憶されている。
【００３８】
また、未使用の項番のＩＰアドレスフィールド、ＭＡＣアドレスフィールド及びＩＰアドレスリリース状況フィールドには「０」を入れておくものとし、同一日内にＩＰアドレスのリリースが全て行われなかったとしても、管理リスト２２２上のＩＰアドレスリリース状況フィールドには一旦「×」を入れて未使用となったものとみなすこととする。新たなクライアント装置３０がネットワークＮＷを介してサーバ装置２０に接続された場合は、未使用の若い項番から使用するものとする。
【００３９】
ＤＨＣＰ制御部２３０は、クライアント装置３０からのＩＰアドレス要求に伴い、ＤＨＣＰ（Dynamic Host Configuration Protocol）で規定されたプロトコルに基づき、ＩＰアドレスの割り当て、解放等の管理を行う。なお、本実施形態においてはＩＰｖ４を用いて説明するが、割り当てられるＩＰアドレスはＩＰｖ６等であっても良い。
【００４０】
［２．３  クライアント装置］
続いて、クライアント装置３０の機能構成について図５を参照して説明する。図５は、クライアント装置３０の機能ブロック図である。クライアント装置３０は、制御部３００に、通信部３１０と、記憶部３２０と、入出力部３３０と、ＤＨＣＰ設定保持部３４０と、電源監視部３５０とがバスを介して接続されている。
【００４１】
制御部３００は、クライアント装置３０を制御するための機能部であり、例えばＣＰＵ等により構成されている。また、制御部３００は、記憶部３２０に記憶されているプログラムを読み出して実行することにより、プログラムに基づいた処理を実現するための機能部である。
【００４２】
通信部３１０は、ネットワークＮＷを介して、他の装置と通信を行うための機能部である。例えば、Ｅｔｈｅｒｎｅｔ（登録商標）に準拠したＮＩＣ等により構成されている。具体的にはＴＣＰ／ＩＰ（Transmission Control Protocol/Internet Protocol）に準拠したパケットにより通信を行っており、本実施形態においてはＤＨＣＰ（Dynamic Host Configuration Protocol）によりＩＰアドレスを割り当てる場合のパケット等が送受信される。
【００４３】
記憶部３２０は、クライアント装置３０を動作させる為に必要なプログラムや各種データ等を記憶している機能部である。記憶部３２０は、例えばＤＲＡＭやＥＥＰＲＯＭといった半導体メモリであったり、ハードディスクドライブといった磁気ディスク装置であったり、何れかの記憶装置により構成されている。
【００４４】
入出力部３３０は、利用者がクライアント装置３０を操作する場合に利用される機能部ある。利用者が入力機能によりクライアント装置３０に各種操作指示を行い、処理結果を出力機能により確認することができる。これらの機能は、例えば入力機能としてはキーボード、マウス、タッチパネル等により構成され、出力機能としてはＬＣＤといった表示装置等により構成されている。
【００４５】
ＤＨＣＰ設定保持部３４０は、サーバ装置２０から取得したＤＨＣＰ設定（ＩＰアドレス、サブネットマスク、リリース期間等）を保持するための機能部である。また、電源監視部３５０は、クライアント装置３０の電源状態を監視している機能部である。電源監視部３５０は、クライアント装置３０の電源状態を監視し、電源切断時にＤＨＣＰ設定保持部３４０に対して電源切断することを通知する。
【００４６】
［３．処理の流れ］
続いて、本実施形態における各装置の処理の流れについて、フローチャートを用いて説明する。
【００４７】
［３．１  共有装置］
まず、共有装置１０における処理について、図６を用いて説明する。図６は、共有装置１０において、サーバ装置２０から管理リスト２２２を取得し、電源制御を行う場合のフローチャートである。
【００４８】
まず、サーバ装置２０から、管理リスト２２２を取得する（ステップＳ１００）。ここで、管理リスト２２２のＩＰアドレスリリース状況フィールドが総て「×」か否かを判定する（ステップＳ１０２）。ＩＰアドレスリリース状況フィールドが総て「×」でない、すなわちひとつでも「○」があれば（ステップＳ１０２；Ｎｏ）、所定秒数（Ｎ秒）のタイマカウントを行い（ステップＳ１０４）、ステップＳ１００に処理を戻す。
【００４９】
ここで、ステップＳ１０２において、ＩＰアドレスリリース状況フィールが総て「×」と判定された場合には（ステップＳ１０２；Ｙｅｓ）、共有装置１０に常時電源ＯＮとなる機能部（例えば常時通電する必要のあるオプションユニット等）の有無を判定する（ステップＳ１０６）。ここで、常時電源「ＯＮ」とする必要のある機能部がある場合には（ステップＳ１０６；Ｙｅｓ）、常時電源「ＯＮ」とする必要のある機能部を除く他の機能部の電源を切断する（ステップＳ１０６；Ｙｅｓ→ステップＳ１０８）。
【００５０】
他方、常時電源「ＯＮ」とする必要のある機能部がない場合には（ステップＳ１０６；Ｎｏ）、共有装置１０の総ての電源を切断する（ステップＳ１１０）。
【００５１】
［３．２  クライアント装置］
続いて、クライアント装置３０における処理について、図７を用いて説明する。図７は、クライアント装置３０におけるＤＨＣＰによるＩＰアドレス取得／リリースを説明するフローチャートである。
【００５２】
まず、クライアント装置３０の電源が「ＯＮ」となる処理を実行し（ステップＳ２００）、サーバ装置２０からＩＰアドレス等の設定値を取得する（ステップＳ２０２）。その後、クライアント装置３０は、電源が「ＯＦＦ」となるまで待機する（ステップＳ２０４；Ｎｏ）。
【００５３】
ここで、電源が「ＯＦＦ」となることを検知すると（ステップＳ２０４；Ｙｅｓ）、サーバ装置２０にＩＰアドレスをリリースする（ステップＳ２０６）。そして、ＩＰアドレスをサーバ装置２０にリリース後、クライアント装置３０の電源切断処理（電源ＯＦＦ）を実行する（ステップＳ２０８）。
【００５４】
［３．３  サーバ装置］
続いて、サーバ装置２０における処理について、図８を用いて説明する。図８は、サーバ装置２０におけるＤＨＣＰによるＩＰアドレス通知／リリースおよび管理リスト取得要求に対する応答に関するフローチャートである。
【００５５】
まず、共有装置１０から管理リストの要求があるか否かを判断する（ステップＳ３００）。管理リストの要求があった場合（ステップＳ３００；Ｙｅｓ）、記憶部２２０に記憶されている管理リスト２２２を取得する（ステップＳ３０２）。そして、要求元の共有装置１０に対して管理リスト２２２を送信し（ステップＳ３０４）、ステップＳ３００に戻る。
【００５６】
続いて、管理リスト２２２の要求がない場合（ステップＳ３００；Ｎｏ）、クライアント装置３０からＩＰアドレスのリリースが有るか否かを判定する（ステップＳ３０６）。
【００５７】
ここで、ＩＰアドレスのリリースがある場合には（ステップＳ３０６；Ｙｅｓ）、記憶部２２０に記憶されている管理リスト２２２を取得する（ステップＳ３０８）。そして、管理リスト２２２を更新する（ステップＳ３１０）。具体的には、リリースされたＩＰアドレスの項番の「ＭＡＣアドレス」と、「アクセス日時」は削除され（すなわち「０」が入る）、ＩＰアドレスリリース状況フィールドは「×」が付加される。そして、ステップＳ３００に戻り処理を繰り返し実行する。
【００５８】
続いて、ＩＰアドレスのリリースもない場合（ステップＳ３０６；Ｎｏ）、クライアント装置３０からＩＰアドレス要求があるか否かを判定する（ステップＳ３１２）。ＩＰアドレス要求も無い場合は（ステップＳ３１２；Ｎｏ）、ステップＳ３００から処理を繰り返し実行する。
【００５９】
他方、ＩＰアドレスの要求がクライアント装置３０からある場合（ステップＳ３１２；Ｙｅｓ）、記憶部２２０に記憶されている管理リストを取得し（ステップＳ３１４）、未使用のＩＰアドレスをＩＰアドレス要求元のクライアント装置３０に割り当てて通知する（ステップＳ３１６）。また、ステップＳ３１６で割り当てたＩＰアドレスの項番に「ＭＡＣアドレス」と、「○」と、「アクセス日時」が付加されて、管理リスト２２２が更新される（ステップＳ３１８）。そして、ステップＳ３００に戻り処理を繰り返し実行する。
【００６０】
以上説明したように本発明の実施形態によれば、ネットワークＮＷを介して共有される共有装置１０を使用している総てのクライアント装置３０の電源が落とされたことを、管理リスト２２２を利用して判定することができる。そして、クライアント装置３０の電源が総て落とされた時点で、自動的に共有装置１０の電源が切断されることになるため、節電の効果が期待出来る。また、クライアント装置の電源管理において、複雑な制御を行う必要がなく、且つネットワークに接続されるクライアント装置に何ら手を加える必要がなく、安価に実現することができる。
【００６１】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００６２】
また、上述した実施形態においては、共有装置の一例としてデジタル複合機を例にとって説明したが、例えばネットワークに接続されるハードディスク装置（ＮＡＳ）や、プリンタ、ファイルサーバ等のコンピュータ等、他の装置であっても適用可能なことは勿論である。
【符号の説明】
【００６３】
１  共有装置電源制御システム
１０  共有装置
１００  制御部
１１０  通信部
１２０  タイマカウント部
１３０  記憶部
１４０  画像形成部
１４５  ＦＡＸ機能部
１５０  管理リスト取得部
１６０  管理リスト検出部
１７０  電源制御部
２０  サーバ装置
２００  制御部
２１０  通信部
２２０  記憶部
２２２  管理リスト
２３０  ＤＨＣＰ制御部
３０  クライアント装置
３００  制御部
３１０  通信部
３２０  記憶部
３３０  入出力部
３４０  ＤＨＣＰ設定保持部
３５０  電源監視部
【図１】
2011198286.tif 000003
【図２】
2011198286.tif 000004
【図３】
2011198286.tif 000005
【図４】
2011198286.tif 000006
【図５】
2011198286.tif 000007
【図６】
2011198286.tif 000008
【図７】
2011198286.tif 000009
【図８】
2011198286.tif 000010